(57)【要約】【課題】サービスを提供するウェブサイト側において送信した第１情報の流通状態を把握できると共に、第１情報を他のユーザに送信する一の携帯端末機のユーザが送信によるメリットを享受することが可能な管理方法を提供する。【解決手段】携帯電話機２から送信された識別情報に関連づけられる付加情報をサーバコンピュータ１の生成手段により生成する。付加情報は第１情報と共に携帯電話機２へ送信される。携帯電話機２または携帯電話機３から識別情報及び付加情報を受信した場合、受信した識別情報と、生成手段により生成した付加情報に関連づけられる携帯電話機２の識別情報とが一致するか否かを判断手段により判断する。そして、一致しないと判断した場合、携帯電話機２と携帯電話機３との間で第１情報の送信があったことを示す送信情報を記憶する。【選択図】図１
2008059217.tif 000002
【特許請求の範囲】
【請求項１】
複数の携帯端末機及び管理装置が通信網を介して接続されたシステムに適用され、前記管理装置を介さない前記携帯端末機間の情報の送受信を管理する管理方法において、
一の携帯端末機から他の携帯端末機へ送信するための第１情報の取得要求を前記一の携帯端末機から前記管理装置へ前記一の携帯端末機の識別情報と共に送信する送信ステップと、
前記取得要求のあった第１情報に付加される前記送信ステップにより送信された識別情報を含む付加情報を前記管理装置により生成する生成ステップと、
前記取得要求のあった第１情報を記憶部から読み出す第１情報読み出しステップと、
該第１情報読み出しステップにより読み出した第１情報及び前記生成ステップにより生成した付加情報を前記管理装置から前記一の携帯端末機へ送信する第１情報送信ステップと、
前記管理装置により携帯端末機の識別情報及び付加情報を受信した場合に、受信した前記識別情報と、前記生成ステップにより生成した付加情報に含まれる前記一の携帯端末機の識別情報とが一致するか否かを判断する判断ステップと、
該判断ステップにより一致しないと判断した場合、前記管理装置により、前記一の携帯端末機の識別情報に対応させて、前記一の携帯端末機から他の携帯端末機へ第１情報の送信があったことを示す送信情報を前記記憶部に記憶する送信情報記憶ステップと
を備えることを特徴とする管理方法。
【請求項２】
複数の携帯端末機及び管理装置が通信網を介して接続されたシステムに適用され、前記管理装置を介さない前記携帯端末機間の情報の送受信を管理する管理方法において、
一の携帯端末機から他の携帯端末機へ送信するための第１情報の取得要求を前記一の携帯端末機から前記管理装置へ前記一の携帯端末機の識別情報と共に送信する送信ステップと、
該送信ステップにより送信された識別情報に関連づけられる前記第１情報に付加される付加情報を前記管理装置により生成する生成ステップと、
前記取得要求のあった第１情報を記憶部から読み出す第１情報読み出しステップと、
該第１情報読み出しステップにより読み出した第１情報及び前記生成ステップにより生成した付加情報を前記管理装置から前記一の携帯端末機へ送信する第１情報送信ステップと、
前記管理装置により携帯端末機の識別情報及び付加情報を受信した場合に、受信した前記識別情報と、前記生成ステップにより生成した付加情報に関連づけられる前記一の携帯端末機の識別情報とが一致するか否かを判断する判断ステップと、
該判断ステップにより一致しないと判断した場合、前記管理装置により、前記一の携帯端末機の識別情報に対応させて、前記一の携帯端末機から他の携帯端末機へ第１情報の送信があったことを示す送信情報を前記記憶部に記憶する送信情報記憶ステップと
を備えることを特徴とする管理方法。
【請求項３】
複数の携帯端末機及び管理装置が通信網を介して接続され、前記管理装置を介さない前記携帯端末機間の情報の送受信を管理する管理システムにおいて、
一の携帯端末機から他の携帯端末機へ送信するための第１情報の取得要求を前記一の携帯端末機から前記管理装置へ前記一の携帯端末機の識別情報と共に送信する送信手段と、
前記取得要求のあった第１情報に付加される前記送信手段により送信された識別情報を含む付加情報を前記管理装置により生成する生成手段と、
前記取得要求のあった第１情報を記憶部から読み出す第１情報読み出し手段と、
該第１情報読み出し手段により読み出した第１情報及び前記生成手段により生成した付加情報を前記管理装置から前記一の携帯端末機へ送信する第１情報送信手段と、
前記管理装置により携帯端末機の識別情報及び付加情報を受信した場合に、受信した前記識別情報と、前記生成手段により生成した付加情報に含まれる前記一の携帯端末機の識別情報とが一致するか否かを判断する判断手段と、
該判断手段により一致しないと判断した場合、前記管理装置により、前記一の携帯端末機の識別情報に対応させて、前記一の携帯端末機から他の携帯端末機へ第１情報の送信があったことを示す送信情報を前記記憶部に記憶する送信情報記憶手段と
を備えることを特徴とする管理システム。
【請求項４】
複数の携帯端末機及び管理装置が通信網を介して接続され、前記管理装置を介さない前記携帯端末機間の情報の送受信を管理する管理システムにおいて、
一の携帯端末機から他の携帯端末機へ送信するための第１情報の取得要求を前記一の携帯端末機から前記管理装置へ前記一の携帯端末機の識別情報と共に送信する送信手段と、
該送信手段により送信された識別情報に関連づけられる前記第１情報に付加される付加情報を前記管理装置により生成する生成手段と、
前記取得要求のあった第１情報を記憶部から読み出す第１情報読み出し手段と、
該第１情報読み出し手段により読み出した第１情報及び前記生成手段により生成した付加情報を前記管理装置から前記一の携帯端末機へ送信する第１情報送信手段と、
前記管理装置により携帯端末機の識別情報及び付加情報を受信した場合に、受信した前記識別情報と、前記生成手段により生成した付加情報に関連づけられる前記一の携帯端末機の識別情報とが一致するか否かを判断する判断手段と、
該判断手段により一致しないと判断した場合、前記管理装置により、前記一の携帯端末機の識別情報に対応させて、前記一の携帯端末機から他の携帯端末機へ第１情報の送信があったことを示す送信情報を前記記憶部に記憶する送信情報記憶手段と
を備えることを特徴とする管理システム。
【請求項５】
前記管理装置により携帯端末機の識別情報及び付加情報を受信した場合に、前記記憶部に前記付加情報に対応して記憶された第２情報を読み出す第２情報読み出し手段と、
該第２情報読み出し手段により読み出した第２情報を前記携帯端末機へ送信する第２情報送信手段と
を備えることを特徴とする請求項３または４に記載の管理システム。
【請求項６】
前記生成手段は、
日時を読み出す日時読み出し手段と、
前記送信手段により送信された識別情報及び前記日時読み出し手段により読み出した日時を含む付加情報を生成する付加情報生成手段と
を備えることを特徴とする請求項４または５に記載の管理システム。
【請求項７】
前記判断手段により一致しないと判断した場合に、前記第１情報または第２情報に関連する第３情報を前記管理装置から前記一の携帯端末機または他の携帯端末機へ送信する第３情報送信手段
をさらに備えることを特徴とする請求項３乃至６のいずれか一つに記載の管理システム。
【請求項８】
携帯端末機間で通信網を経ずに直接送受信される情報を管理する管理装置において、
一の携帯端末機から他の携帯端末機へ送信するための第１情報の取得要求及び前記一の携帯端末機の識別情報を受信する受信手段と、
前記取得要求のあった第１情報に付加される前記受信手段により受信した識別情報を含む付加情報を生成する生成手段と、
前記取得要求のあった第１情報を記憶部から読み出す第１情報読み出し手段と、
該第１情報読み出し手段により読み出した第１情報及び前記生成手段により生成した付加情報を前記一の携帯端末機へ送信する第１情報送信手段と、
携帯端末機の識別情報及び付加情報を受信した場合に、受信した前記識別情報と、前記生成手段により生成した付加情報に含まれる前記一の携帯端末機の識別情報とが一致するか否かを判断する判断手段と、
該判断手段により一致しないと判断した場合、前記一の携帯端末機の識別情報に対応させて、前記一の携帯端末機から他の携帯端末機へ第１情報の送信があったことを示す送信情報を前記記憶部に記憶する送信情報記憶手段と
を備えることを特徴とする管理装置。
【請求項９】
携帯端末機間で通信網を経ずに直接送受信される情報を管理する管理装置において、
一の携帯端末機から他の携帯端末機へ送信するための第１情報の取得要求及び前記一の携帯端末機の識別情報を受信する受信手段と、
該受信手段により受信した識別情報に関連づけられる前記第１情報に付加される付加情報を生成する生成手段と、
前記取得要求のあった第１情報を記憶部から読み出す第１情報読み出し手段と、
該第１情報読み出し手段により読み出した第１情報及び前記生成手段により生成した付加情報を前記一の携帯端末機へ送信する第１情報送信手段と、
携帯端末機の識別情報及び付加情報を受信した場合に、受信した前記識別情報と、前記生成手段により生成した付加情報に関連づけられる前記一の携帯端末機の識別情報とが一致するか否かを判断する判断手段と、
該判断手段により一致しないと判断した場合、前記一の携帯端末機の識別情報に対応させて、前記一の携帯端末機から他の携帯端末機へ第１情報の送信があったことを示す送信情報を前記記憶部に記憶する送信情報記憶手段と
を備えることを特徴とする管理装置。
【請求項１０】
携帯端末機間で通信網を経ずに直接送受信される情報をコンピュータにより管理するためのプログラムにおいて、
コンピュータに、
一の携帯端末機から他の携帯端末機へ送信するための第１情報の取得要求及び前記一の携帯端末機の識別情報を受信した場合に、前記第１情報に付加される前記識別情報を含む付加情報を生成する生成ステップと、
前記取得要求のあった第１情報を記憶部から読み出す第１情報読み出しステップと、
該第１情報読み出しステップにより読み出した第１情報及び前記生成ステップにより生成した付加情報を前記一の携帯端末機へ送信する第１情報送信ステップと、
携帯端末機の識別情報及び付加情報を受信した場合に、受信した前記識別情報と、前記生成ステップにより生成した付加情報に含まれる前記一の携帯端末機の識別情報とが一致するか否かを判断する判断ステップと、
該判断ステップにより一致しないと判断した場合、前記一の携帯端末機の識別情報に対応させて、前記一の携帯端末機から他の携帯端末機へ第１情報の送信があったことを示す送信情報を前記記憶部に記憶する送信情報記憶ステップと
を実行させるためのプログラム。
【請求項１１】
携帯端末機間で通信網を経ずに直接送受信される情報をコンピュータにより管理するためのプログラムにおいて、
コンピュータに、
一の携帯端末機から他の携帯端末機へ送信するための第１情報の取得要求及び前記一の携帯端末機の識別情報を受信した場合に、該識別情報に関連づけられる前記第１情報に付加される付加情報を生成する生成ステップと、
前記取得要求のあった第１情報を記憶部から読み出す第１情報読み出しステップと、
該第１情報読み出しステップにより読み出した第１情報及び前記生成ステップにより生成した付加情報を前記一の携帯端末機へ送信する第１情報送信ステップと、
携帯端末機の識別情報及び付加情報を受信した場合に、受信した前記識別情報と、前記生成ステップにより生成した付加情報に関連づけられる前記一の携帯端末機の識別情報とが一致するか否かを判断する判断ステップと、
該判断ステップにより一致しないと判断した場合、前記一の携帯端末機の識別情報に対応させて、前記一の携帯端末機から他の携帯端末機へ第１情報の送信があったことを示す送信情報を前記記憶部に記憶する送信情報記憶ステップと
を実行させるためのプログラム。
【発明の詳細な説明】
【技術分野】
【０００１】
本発明は、複数の携帯端末機及び管理装置が通信網を介して接続されたシステムに適用され、管理装置を介さない携帯端末機間の情報の送受信を管理する管理方法、管理システム、管理装置及びプログラムに関する。
【背景技術】
【０００２】
近年、店舗案内等の紙媒体で配布されている情報を、リーダ／ライタにかざすことにより携帯端末機に取り込むことができるサービスが普及している。またこのような情報は、ウェブサイトを通じても配信されており、ユーザは携帯端末機の画面に店舗案内等を表示することができる。通常この店舗案内等にはさらに詳細な店舗情報または５％オフ等のクーポン券を取得するためのＵＲＬがハイパーリンクとして記述されている。ユーザはこれをクリックすることにより、ウェブサイトから、詳細な店舗情報またはクーポン券をダウンロードすることができる。
【０００３】
そしてユーザは携帯端末機にダウンロードした店舗情報を閲覧することができ、また画面にクーポン券を表示させ、これを店舗で店員に見せることにより、所望のサービスを受けることができる。さらにこのような店舗案内等の情報は赤外線通信により、または記録媒体を介して携帯端末機間で送受信ないし交換でき、ユーザ間の新たなコミュニケーションツールとなっている。すなわち、他のユーザに店舗の紹介を行いたい場合、ウェブサイトからダウンロードした店舗案内等の情報を、赤外線通信により携帯端末機間で自由に送受信することができる。なお、携帯端末機間で電子名刺を交換する技術も開示されている（例えば特許文献１参照。）
【特許文献１】特開２００２−７３５８号公報
【発明の開示】
【発明が解決しようとする課題】
【０００４】
しかしながら、店舗案内等の情報の送受信が、当該サービスを提供するウェブサイトを介さずに、携帯端末機間で直接行われた場合、サービスを提供する側としては、自己が配信している店舗案内等の情報がどのように市場に流通しているのか把握できないという問題があった。また、店舗案内等の情報を受けるユーザのみが利益を享受し、店舗案内の情報を提供するユーザにとって見れば何のメリットもないという問題があった。特許文献１は、電子名刺を交換する技術を開示しているのみで、かかる問題を解決するための手段は何ら開示していない。
【０００５】
本発明は斯かる事情に鑑みてなされたものであり、その目的は、一の携帯端末機から他の携帯端末機へ送信するための第１情報に付加情報を付加して管理し、携帯端末機から識別情報及び付加情報が送信された場合に、他の携帯端末機からの送信であるか否かを判断し、他の携帯端末機からの送信である場合、一の携帯端末機に対応させて送信情報を記憶することにより、サービスを提供するウェブサイト側においては送信した第１情報の流通状態を把握できると共に、第１情報を他のユーザに送信する一の携帯端末機のユーザが送信によるメリットを享受することが可能な管理方法、管理システム、管理装置及び該管理装置をコンピュータとして機能させるためのプログラムを提供することにある。
【０００６】
本発明の他の目的は、携帯端末機の識別情報及び付加情報を受信した場合に、付加情報に対応して記憶された第２情報を携帯端末機へ送信することにより、より詳細な情報をユーザに提供することが可能な管理システムを提供することにある。
【０００７】
本発明の他の目的は、第１情報または第２情報に関連する第３情報を一の携帯端末機へ送信することにより、情報を提供するユーザが、より利益を享受することが可能な管理システムを提供することにある。
【課題を解決するための手段】
【０００８】
本発明に係る管理方法は、複数の携帯端末機及び管理装置が通信網を介して接続されたシステムに適用され、前記管理装置を介さない前記携帯端末機間の情報の送受信を管理する管理方法において、一の携帯端末機から他の携帯端末機へ送信するための第１情報の取得要求を前記一の携帯端末機から前記管理装置へ前記一の携帯端末機の識別情報と共に送信する送信ステップと、前記取得要求のあった第１情報に付加される前記送信ステップにより送信された識別情報を含む付加情報を前記管理装置により生成する生成ステップと、前記取得要求のあった第１情報を記憶部から読み出す第１情報読み出しステップと、該第１情報読み出しステップにより読み出した第１情報及び前記生成ステップにより生成した付加情報を前記管理装置から前記一の携帯端末機へ送信する第１情報送信ステップと、前記管理装置により携帯端末機の識別情報及び付加情報を受信した場合に、受信した前記識別情報と、前記生成ステップにより生成した付加情報に含まれる前記一の携帯端末機の識別情報とが一致するか否かを判断する判断ステップと、該判断ステップにより一致しないと判断した場合、前記管理装置により、前記一の携帯端末機の識別情報に対応させて、前記一の携帯端末機から他の携帯端末機へ第１情報の送信があったことを示す送信情報を前記記憶部に記憶する送信情報記憶ステップとを備えることを特徴とする。
【０００９】
本発明に係る管理方法は、複数の携帯端末機及び管理装置が通信網を介して接続されたシステムに適用され、前記管理装置を介さない前記携帯端末機間の情報の送受信を管理する管理方法において、一の携帯端末機から他の携帯端末機へ送信するための第１情報の取得要求を前記一の携帯端末機から前記管理装置へ前記一の携帯端末機の識別情報と共に送信する送信ステップと、該送信ステップにより送信された識別情報に関連づけられる前記第１情報に付加される付加情報を前記管理装置により生成する生成ステップと、前記取得要求のあった第１情報を記憶部から読み出す第１情報読み出しステップと、該第１情報読み出しステップにより読み出した第１情報及び前記生成ステップにより生成した付加情報を前記管理装置から前記一の携帯端末機へ送信する第１情報送信ステップと、前記管理装置により携帯端末機の識別情報及び付加情報を受信した場合に、受信した前記識別情報と、前記生成ステップにより生成した付加情報に関連づけられる前記一の携帯端末機の識別情報とが一致するか否かを判断する判断ステップと、該判断ステップにより一致しないと判断した場合、前記管理装置により、前記一の携帯端末機の識別情報に対応させて、前記一の携帯端末機から他の携帯端末機へ第１情報の送信があったことを示す送信情報を前記記憶部に記憶する送信情報記憶ステップとを備えることを特徴とする。
【００１０】
本発明に係る管理システムは、複数の携帯端末機及び管理装置が通信網を介して接続され、前記管理装置を介さない前記携帯端末機間の情報の送受信を管理する管理システムにおいて、一の携帯端末機から他の携帯端末機へ送信するための第１情報の取得要求を前記一の携帯端末機から前記管理装置へ前記一の携帯端末機の識別情報と共に送信する送信手段と、前記取得要求のあった第１情報に付加される前記送信手段により送信された識別情報を含む付加情報を前記管理装置により生成する生成手段と、前記取得要求のあった第１情報を記憶部から読み出す第１情報読み出し手段と、該第１情報読み出し手段により読み出した第１情報及び前記生成手段により生成した付加情報を前記管理装置から前記一の携帯端末機へ送信する第１情報送信手段と、前記管理装置により携帯端末機の識別情報及び付加情報を受信した場合に、受信した前記識別情報と、前記生成手段により生成した付加情報に含まれる前記一の携帯端末機の識別情報とが一致するか否かを判断する判断手段と、該判断手段により一致しないと判断した場合、前記管理装置により、前記一の携帯端末機の識別情報に対応させて、前記一の携帯端末機から他の携帯端末機へ第１情報の送信があったことを示す送信情報を前記記憶部に記憶する送信情報記憶手段とを備えることを特徴とする。
【００１１】
本発明に係る管理システムは、複数の携帯端末機及び管理装置が通信網を介して接続され、前記管理装置を介さない前記携帯端末機間の情報の送受信を管理する管理システムにおいて、一の携帯端末機から他の携帯端末機へ送信するための第１情報の取得要求を前記一の携帯端末機から前記管理装置へ前記一の携帯端末機の識別情報と共に送信する送信手段と、該送信手段により送信された識別情報に関連づけられる前記第１情報に付加される付加情報を前記管理装置により生成する生成手段と、前記取得要求のあった第１情報を記憶部から読み出す第１情報読み出し手段と、該第１情報読み出し手段により読み出した第１情報及び前記生成手段により生成した付加情報を前記管理装置から前記一の携帯端末機へ送信する第１情報送信手段と、前記管理装置により携帯端末機の識別情報及び付加情報を受信した場合に、受信した前記識別情報と、前記生成手段により生成した付加情報に関連づけられる前記一の携帯端末機の識別情報とが一致するか否かを判断する判断手段と、該判断手段により一致しないと判断した場合、前記管理装置により、前記一の携帯端末機の識別情報に対応させて、前記一の携帯端末機から他の携帯端末機へ第１情報の送信があったことを示す送信情報を前記記憶部に記憶する送信情報記憶手段とを備えることを特徴とする。
【００１２】
本発明に係る管理システムは、前記管理装置により携帯端末機の識別情報及び付加情報を受信した場合に、前記記憶部に前記付加情報に対応して記憶された第２情報を読み出す第２情報読み出し手段と、該第２情報読み出し手段により読み出した第２情報を前記携帯端末機へ送信する第２情報送信手段とを備えることを特徴とする。
【００１３】
本発明に係る管理システムは、前記生成手段は、日時を読み出す日時読み出し手段と、前記送信手段により送信された識別情報及び前記日時読み出し手段により読み出した日時を含む付加情報を生成する付加情報生成手段とを備えることを特徴とする。
【００１４】
本発明に係る管理システムは、前記判断手段により一致しないと判断した場合に、前記第１情報または第２情報に関連する第３情報を前記管理装置から前記一の携帯端末機または他の携帯端末機へ送信する第３情報送信手段をさらに備えることを特徴とする。
【００１５】
本発明に係る管理装置は、携帯端末機間で通信網を経ずに直接送受信される情報を管理する管理装置において、一の携帯端末機から他の携帯端末機へ送信するための第１情報の取得要求及び前記一の携帯端末機の識別情報を受信する受信手段と、前記取得要求のあった第１情報に付加される前記受信手段により受信した識別情報を含む付加情報を生成する生成手段と、前記取得要求のあった第１情報を記憶部から読み出す第１情報読み出し手段と、該第１情報読み出し手段により読み出した第１情報及び前記生成手段により生成した付加情報を前記一の携帯端末機へ送信する第１情報送信手段と、携帯端末機の識別情報及び付加情報を受信した場合に、受信した前記識別情報と、前記生成手段により生成した付加情報に含まれる前記一の携帯端末機の識別情報とが一致するか否かを判断する判断手段と、該判断手段により一致しないと判断した場合、前記一の携帯端末機の識別情報に対応させて、前記一の携帯端末機から他の携帯端末機へ第１情報の送信があったことを示す送信情報を前記記憶部に記憶する送信情報記憶手段とを備えることを特徴とする。
【００１６】
本発明に係る管理装置は、携帯端末機間で通信網を経ずに直接送受信される情報を管理する管理装置において、一の携帯端末機から他の携帯端末機へ送信するための第１情報の取得要求及び前記一の携帯端末機の識別情報を受信する受信手段と、該受信手段により受信した識別情報に関連づけられる前記第１情報に付加される付加情報を生成する生成手段と、前記取得要求のあった第１情報を記憶部から読み出す第１情報読み出し手段と、該第１情報読み出し手段により読み出した第１情報及び前記生成手段により生成した付加情報を前記一の携帯端末機へ送信する第１情報送信手段と、携帯端末機の識別情報及び付加情報を受信した場合に、受信した前記識別情報と、前記生成手段により生成した付加情報に関連づけられる前記一の携帯端末機の識別情報とが一致するか否かを判断する判断手段と、該判断手段により一致しないと判断した場合、前記一の携帯端末機の識別情報に対応させて、前記一の携帯端末機から他の携帯端末機へ第１情報の送信があったことを示す送信情報を前記記憶部に記憶する送信情報記憶手段とを備えることを特徴とする。
【００１７】
本発明に係るプログラムは、携帯端末機間で通信網を経ずに直接送受信される情報をコンピュータにより管理するためのプログラムにおいて、コンピュータに、一の携帯端末機から他の携帯端末機へ送信するための第１情報の取得要求及び前記一の携帯端末機の識別情報を受信した場合に、前記第１情報に付加される前記識別情報を含む付加情報を生成する生成ステップと、前記取得要求のあった第１情報を記憶部から読み出す第１情報読み出しステップと、該第１情報読み出しステップにより読み出した第１情報及び前記生成ステップにより生成した付加情報を前記一の携帯端末機へ送信する第１情報送信ステップと、携帯端末機の識別情報及び付加情報を受信した場合に、受信した前記識別情報と、前記生成ステップにより生成した付加情報に含まれる前記一の携帯端末機の識別情報とが一致するか否かを判断する判断ステップと、該判断ステップにより一致しないと判断した場合、前記一の携帯端末機の識別情報に対応させて、前記一の携帯端末機から他の携帯端末機へ第１情報の送信があったことを示す送信情報を前記記憶部に記憶する送信情報記憶ステップとを実行させることを特徴とする。
【００１８】
本発明に係るプログラムは、携帯端末機間で通信網を経ずに直接送受信される情報をコンピュータにより管理するためのプログラムにおいて、コンピュータに、一の携帯端末機から他の携帯端末機へ送信するための第１情報の取得要求及び前記一の携帯端末機の識別情報を受信した場合に、該識別情報に関連づけられる前記第１情報に付加される付加情報を生成する生成ステップと、前記取得要求のあった第１情報を記憶部から読み出す第１情報読み出しステップと、該第１情報読み出しステップにより読み出した第１情報及び前記生成ステップにより生成した付加情報を前記一の携帯端末機へ送信する第１情報送信ステップと、携帯端末機の識別情報及び付加情報を受信した場合に、受信した前記識別情報と、前記生成ステップにより生成した付加情報に関連づけられる前記一の携帯端末機の識別情報とが一致するか否かを判断する判断ステップと、該判断ステップにより一致しないと判断した場合、前記一の携帯端末機の識別情報に対応させて、前記一の携帯端末機から他の携帯端末機へ第１情報の送信があったことを示す送信情報を前記記憶部に記憶する送信情報記憶ステップとを実行させることを特徴とする。
【００１９】
本発明にあっては、送信手段は一の携帯端末機から他の携帯端末機へ送信するための第１情報の取得要求を一の携帯端末機から管理装置へ一の携帯端末機の識別情報と共に送信する。そして、取得要求のあった第１情報に付加される送信された識別情報を含む付加情報を生成手段により生成する。管理装置の第１情報読み出し手段は、記憶部に記憶した取得要求のあった第１情報を読み出す。この読み出した第１情報及び生成手段により生成した付加情報は、管理装置から一の携帯端末機へ送信される。
【００２０】
一の携帯端末機は、第１情報及び付加情報を受信する。一の携帯端末機が第１情報に関連する第２情報の取得を要求する場合、付加情報及び識別情報を管理装置へ送信する。この他、一の携帯端末機から他の携帯端末機へ管理装置を介さずに赤外線通信等により、第１情報及び付加情報が送信された場合、他の携帯端末機が、付加情報及び識別情報を管理装置へ送信する。管理装置は、携帯端末機の識別情報及び付加情報を受信した場合に、受信した識別情報と、生成手段により生成した付加情報に含まれる一の携帯端末機の識別情報とが一致するか否かを判断手段により判断する。
【００２１】
ここで一致しないと判断した場合、管理装置により、一の携帯端末機の識別情報に対応させて、一の携帯端末機から他の携帯端末機へ第１情報の送信があったことを示す送信情報を記憶部に記憶する。従って、管理装置は、携帯端末機間で直接送受信された第１情報がどのように普及しているか把握することが可能となる。また、識別情報が一致しない場合に、一の携帯端末機から他の携帯端末機へ第１情報の送信があったことを示す送信情報を記憶するので、この送信情報に応じて何らかの特典等を付与することができ、その結果、第１情報を他のユーザに提供したユーザも利益を享受することが可能となる。
【００２２】
本発明にあっては、送信手段は一の携帯端末機から他の携帯端末機へ送信するための第１情報の取得要求を一の携帯端末機から管理装置へ一の携帯端末機の識別情報と共に送信する。そして、送信手段により送信された識別情報に関連づけられる第１情報に付加される付加情報を管理装置の生成手段により生成する。管理装置の第１情報読み出し手段は、記憶部に記憶した取得要求のあった第１情報を読み出す。この読み出した第１情報及び生成手段により生成した付加情報は、管理装置から一の携帯端末機へ送信される。
【００２３】
一の携帯端末機は、第１情報及び付加情報を受信する。一の携帯端末機が第１情報に関連する第２情報の取得を要求する場合、付加情報及び識別情報を管理装置へ送信する。この他、一の携帯端末機から他の携帯端末機へ管理装置を介さずに赤外線通信等により、第１情報及び付加情報が送信された場合、他の携帯端末機が、付加情報及び識別情報を管理装置へ送信する。管理装置は、携帯端末機の識別情報及び付加情報を受信した場合に、受信した識別情報と、生成手段により生成した付加情報に関連づけられる一の携帯端末機の識別情報とが一致するか否かを判断手段により判断する。
【００２４】
ここで一致しないと判断した場合、管理装置により、一の携帯端末機の識別情報に対応させて、一の携帯端末機から他の携帯端末機へ第１情報の送信があったことを示す送信情報を記憶部に記憶する。従って、管理装置は、携帯端末機間で直接送受信された第１情報がどのように普及しているか把握することが可能となる。また、識別情報が一致しない場合に、一の携帯端末機から他の携帯端末機へ第１情報の送信があったことを示す送信情報を記憶するので、この送信情報に応じて何らかの特典等を付与することができ、その結果、第１情報を他のユーザに提供したユーザも利益を享受することが可能となる。
【００２５】
本発明にあっては、携帯端末機の識別情報及び付加情報を受信した場合に、記憶部に前記付加情報に対応して記憶された第２情報を第２情報読み出し手段により読み出し、この読み出した第２情報を携帯端末機へ送信するので、一の携帯端末機及び他の携帯端末機のいずれにおいても、第２情報を取得することが可能となる。
【００２６】
本発明にあっては、管理装置は日時読み出し手段により日時を読み出す。そして、送信された識別情報及び日時読み出し手段により読み出した日時を含む付加情報を生成するので、識別情報及び日時に基づく固有の付加情報が生成され、管理装置における識別情報の判断処理を容易に実行することが可能となる。
【００２７】
本発明にあっては、判断手段により一致しないと判断した場合に、第１情報または第２情報に関連する第３情報を管理装置から一の携帯端末機または他の携帯端末機へ送信する。この第３情報は、特典となる情報等であり、第１情報を他のユーザに送信すればするほど、より大きな利益を享受することが可能となる。
【発明の効果】
【００２８】
本発明にあっては、第１情報に付加される送信された識別情報を含む付加情報を管理装置の生成手段により生成し、携帯端末機の識別情報及び付加情報を受信した場合に、受信した識別情報と、生成手段により生成した付加情報に含まれる一の携帯端末機の識別情報とが一致するか否かを判断手段により判断する。そして、一致しないと判断した場合、一の携帯端末機から他の携帯端末機へ第１情報の送信があったことを示す送信情報を記憶するので、管理装置は、携帯端末機間で直接送受信された第１情報がどのように普及しているか把握することが可能となる。また、識別情報が一致しない場合、第３情報を送信するので、第１情報を他のユーザに提供したユーザも利益を享受することが可能となる。このように、管理装置側の第１情報の流通状態の把握だけでなく、第１情報を他のユーザに提供するユーザも利益を得ることができ、その結果、第１情報をより広く普及させることが可能となる。
【００２９】
本発明にあっては、送信された識別情報に関連づけられる第１情報に付加される付加情報を管理装置の生成手段により生成し、携帯端末機の識別情報及び付加情報を受信した場合に、受信した識別情報と、生成手段により生成した付加情報に関連づけられる一の携帯端末機の識別情報とが一致するか否かを判断手段により判断する。そして、一致しないと判断した場合、一の携帯端末機から他の携帯端末機へ第１情報の送信があったことを示す送信情報を記憶するので、管理装置は、携帯端末機間で直接送受信された第１情報がどのように普及しているか把握することが可能となる。また、識別情報が一致しない場合、第３情報を送信するので、第１情報を他のユーザに提供したユーザも利益を享受することが可能となる。このように、管理装置側の第１情報の流通状態の把握だけでなく、第１情報を他のユーザに提供するユーザも利益を得ることができ、その結果、第１情報をより広く普及させることが可能となる。
【００３０】
本発明にあっては、携帯端末機の識別情報及び付加情報を受信した場合に、記憶部に付加情報に対応して記憶された第２情報を第２情報読み出し手段により読み出し、この読み出した第２情報を携帯端末機へ送信するので、一の携帯端末機及び他の携帯端末機のいずれにおいても、第２情報を取得することが可能となる。
【００３１】
本発明にあっては、管理装置は日時読み出し手段により日時を読み出す。そして、送信された識別情報及び日時読み出し手段により読み出した日時を含む付加情報を生成するので、識別情報及び日時に基づく固有の付加情報が生成され、管理装置における識別情報の判断処理を容易に実行することが可能となる。
【００３２】
本発明にあっては、判断手段により一致しないと判断した場合に、第１情報または第２情報に関連する第３情報を管理装置から一の携帯端末機または他の端末機へ送信する。この第３情報は、第１情報を他の携帯端末機へ送信したことの見返りとなる特典の情報等であり、第１情報を他のユーザに送信すればするほど、より大きな利益を享受することが可能となる。これにより、第１情報の市場における拡散速度を向上させることが可能となる等、本発明は優れた効果を奏する。
【発明を実施するための最良の形態】
【００３３】
実施の形態１
以下本発明の実施の形態を、図面を参照して説明する。図１は本発明に係る管理システムの概要を示す模式図である。図においてＳは管理システムであり、管理装置１、及び携帯端末機２、３を含んで構成される。管理装置１は例えばサーバコンピュータであり、インターネット及び携帯電話網等の通信網Ｎを介して、携帯電話機、ＰＤＡ(Personal Digital Assistance)、表示部を備える可搬型オーディオプレーヤまたは可搬型ゲーム機等の携帯端末機２、３に接続されている。本実施の形態においては、携帯端末機２、３を携帯電話機２、３であるものとして説明し、また管理装置１をサーバコンピュータ１であるものとして説明する。
【００３４】
携帯電話機２及び携帯電話機３は通信網Ｎを経由することなく、赤外線通信等により直接情報の送受信が可能である。これは赤外線通信、または、Ｂｌｕｅｔｏｏｔｈ（登録商標）等による情報の送受信、または情報が記憶された可搬型メモリを携帯電話機２のユーザから携帯電話機３のユーザへ手渡すことにより行っても良い。以下では、携帯電話機２の赤外線送受信部２９及び携帯電話機３の赤外線送受信部３９による赤外線通信により情報を送受信する形態について説明する。
【００３５】
携帯電話機２のユーザはサーバコンピュータ１へアクセスし、店舗情報、売上ランキングまたは新製品紹介等の第１情報の取得要求を行う。このような第１情報は赤外線通信により、携帯電話機３に送信することができ、係るシステムは例えば株式会社エヌ・ティ・ティ・ドコモが提供するトルカ（登録商標）を適用すればよい。以下では第１情報を店舗情報であるものとして説明する。第１情報はサーバコンピュータ１から携帯電話機２へ送信される。サーバコンピュータ１には、店舗情報の詳細情報、クーポン券、売上ランキングの詳細情報または新製品紹介の詳細情報、音楽データ、または待ち受け用の画面データ等の第１情報の詳細情報または追加情報である第２情報が記憶されている。以下では第２情報をクーポン券付きの店舗の詳細情報であるものとして説明する。
【００３６】
携帯電話機２のユーザは店舗情報に基づいてサーバコンピュータ１へアクセスすることにより、店舗の詳細情報を取得できる。また店舗情報を携帯電話機２の赤外線送受信部２９から携帯電話機３の赤外線送受信部３９へ送信することにより、携帯電話機３のユーザは店舗情報を取得することができる。そして携帯電話機３のユーザは取得した店舗情報に基づき、店舗の詳細情報をサーバコンピュータ１から取得することができる。サーバコンピュータ１は以下に述べる処理により、通信網Ｎを介さずに携帯電話機２から携帯電話機３へ店舗情報の送信があったことを判断する。なお、本実施の形態においては説明を簡単にするために２台の携帯電話機２及び携帯電話機３を用いているが、３台以上の携帯電話機を用いても良い。
【００３７】
図２はサーバコンピュータ１のハードウェア構成を示すブロック図である。サーバコンピュータ１は、制御部としてのＣＰＵ(Central Processing Unit)１１、ＲＡＭ(Random Access Memory)１２、入力部１３、表示部１４、通信部１６、時計部１８及び記憶部１５を含んで構成される。ＣＰＵ１１は、バス１７を介してサーバコンピュータ１のハードウェア各部と接続されていて、それらを制御すると共に、記憶部１５に格納された制御プログラム１５Ｐに従って、携帯電話機２から要求される各ソフトウェア処理を実行する。
【００３８】
表示部１４は例えば液晶ディスプレイ等であり、入力部１３はキーボード及びマウス等から構成される。通信部１６はモデムまたはＬＡＮカード等であり、通信網Ｎを介して携帯電話機２との間でＣＰＵ１１からの指示に従い各種情報を送受信する。ＲＡＭ１２は任意のアドレスを指定して読み書きすることが可能な半導体メモリである。時計部１８は現在日時をＣＰＵ１１へ出力する。
【００３９】
記憶部１５は例えばハードディスクで構成され、内部には上述した制御プログラム１５Ｐ、付加情報記憶部１５１、店舗ファイル１５２、得点ファイル１５３、ギフトファイル１５４が記憶されている。なお、付加情報記憶部１５１、店舗ファイル１５２、得点ファイル１５３、または、ギフトファイル１５４はサーバコンピュータ１の記憶部１５に記憶する他、データベースサーバ（図示せず）内に記憶しておき、ＣＰＵ１１の指示によりＳＱＬ（Structured Query Language）を用いて必要に応じて読み書きするようにしても良い。なお、付加情報記憶部１５１、店舗ファイル１５２、得点ファイル１５３、及び、ギフトファイル１５４の詳細については後述する。
【００４０】
図３は携帯電話機２のハードウェア構成を示すブロック図である。携帯電話機２は、制御部としてのＣＰＵ２１、ＲＡＭ２２、入力部２３、表示部２４、通信部２６、マイク２８、赤外線送受信部２９、スピーカ２１０及び記憶部２５を含んで構成される。ＣＰＵ２１は、バス２７を介して携帯電話機２のハードウェア各部と接続されていて、それらを制御すると共に、記憶部２５に格納された制御プログラム２５Ｐに従って、種々のソフトウェア的機能を実行する。
【００４１】
表示部２４は例えば液晶ディスプレイ等であり、入力部２３はプッシュボタン等により構成される。なお、タッチパネルのように表示部２４と入力部２３とを一体的に構成するようにしても良い。スピーカ２１０は入力された音声または音楽信号を増幅して出力する。マイク２８は外部から入力された音声信号を電気信号へ変換する。変換後の電気信号は図示しないＡ／Ｄ変換器によりデジタルデータへ変換されてＣＰＵ２１へ出力される。通信部２６は高周波送受信部及びアンテナ等を備え、店舗情報等を含む各種情報の送受信を行う。記憶部２５はハードディスクまたはメモリが用いられ制御プログラム２５Ｐ及び識別情報記憶部２５１が記憶されている。
【００４２】
赤外線送受信部２９は、ＣＰＵ２１の指示に従い、ＲＡＭ２２または記憶部２５に記憶した店舗情報等に係る赤外線信号を照射する。また携帯電話機３の赤外線送受信部３９から赤外線信号が照射された場合、携帯電話機２の赤外線送受信部２９は、照射された赤外線信号を受光し、受光した赤外線信号に係る情報をＣＰＵ２１へ出力する。識別情報記憶部２５１は、携帯電話機２を特定するための固有の識別情報を記憶しており、これは例えば電話番号、製造番号または図示しない内部のＩＣカードのメモリ内に記憶された番号等が該当する。なお、携帯電話機３の構成は携帯電話機２と同一であるので説明を省略する。
【００４３】
図４は店舗ファイル１５２のレコードレイアウトを示す説明図である。店舗ファイル１５２は店舗情報フィールド、及び店舗詳細情報フィールドを含んで構成される。店舗情報フィールドには、各店舗の店舗情報（第１情報）が記憶されている。図４の例では店舗Ａ及び店舗Ｂの店舗情報が記憶されている。店舗詳細情報フィールドには店舗詳細情報（第２情報）が、各店舗に対応付けて記憶されている。例えば、店舗Ａに対応付けて店舗Ａの詳細情報が記憶されている。
【００４４】
図５は付加情報記憶部１５１のレコードレイアウトを示す説明図である。付加情報記憶部１５１は、識別情報フィールド、取得要求日時フィールド及び取得要求フィールドを含んで構成される。識別情報フィールドには、携帯電話機２の識別情報が記憶されている。例えば携帯電話機２の識別情報が、「ABC-DEF-002」、携帯電話機３の識別情報が「ABC-DEF-003」と記憶されている。取得要求フィールドには識別情報に対応させて取得要求のあった情報の種類が記憶されている。図５の例では、識別情報「ABC-DEF-002」の携帯電話機２からサーバコンピュータ１へアクセスがあり、第１情報である店舗Ａの情報の取得要求があったことを示している。取得要求日時フィールドにはこのような取得要求のあった日時が記憶されている。
【００４５】
携帯電話機２のＣＰＵ２１は、店舗Ａの店舗情報を取得するために、識別情報記憶部２５１に記憶した識別情報を読み出し、この読み出した識別情報及び取得要求をサーバコンピュータ１へ送信する。サーバコンピュータ１は取得要求のあった日時を時計部１８から出力される情報に基づき取得要求日時フィールドに記憶する。そして、携帯電話機２の識別情報を識別情報フィールドに記憶すると共に、取得要求フィールドに取得要求のあった情報の種類を記憶する。図５の例では、２００６年７月２０日１０時２５分３０秒に識別情報「ABC-DEF-002」の携帯電話機２から店舗Ａの店舗情報の取得要求があったことが記憶されている。
【００４６】
サーバコンピュータ１のＣＰＵ１１はこれを受けて、店舗ファイル１５２から店舗情報を読み出し、さらに店舗情報に付加される付加情報を生成する。付加情報は付加情報記憶部１５１の識別情報及び取得要求日時、並びに、サーバコンピュータ１へアクセスするためのアドレスを含むＵＲＬ（Uniform Resource Locator）で構成される。すなわちサーバコンピュータ１のアドレスに取得要求のあった携帯電話機２の識別情報及び取得要求日時を組み合わせて付加情報を生成する。上述の例では付加情報は「http://www・・・/ABC-DEF-002/2006/07/20/10/25/30」の如く、サーバコンピュータ１のアドレス、識別情報及び取得要求日時の組み合わせからなるＵＲＬにより、固有の付加情報を生成することができる。なお、本実施の形態においてはアドレス、識別情報及び取得要求日時の組み合わせにより固有の付加情報を生成することとしたが、この形態に限るものではなく、ＣＰＵ１１は店舗情報に付加する付加情報として、例えば固有の通し番号等を用い、この通し番号を付加情報記憶部１５１に識別情報及び取得要求日時に対応させて記憶させておくようにしても良い。この場合、店舗情報のヘッダ内にこの通し番号を付加させればよい。
【００４７】
ＣＰＵ１１は、ＨＴＭＬ（HyperText Markup Language）で記述された店舗情報にハイパーリンクからなる付加情報を付加する。記述後の店舗情報及び付加情報はサーバコンピュータ１から携帯電話機２へ送信される。携帯電話機２のＣＰＵ２１は、店舗情報及び付加情報を受信した場合、記憶部２５に記憶したブラウザにより、店舗情報及び付加情報を表示部２４に表示する。図６は店舗情報及び付加情報の表示例を示す説明図である。図に示すように店舗Ａに係るイタリアンレストランの簡単な紹介文が店舗情報として表示部２４に表示されている。
【００４８】
表示部２４の下側には詳細ボタン２４１が表示されている。携帯電話機２のユーザは入力部２３からこの詳細ボタン２４１をクリックすることにより、さらに詳細な店舗Ａの店舗詳細情報を受信することができる。この詳細ボタン２４１は店舗詳細情報へアクセスするための付加情報であるハイパーリンクとして記述されている。上述の例では、「http://www・・・/ABC-DEF-002/2006/07/20/10/25/30」のハイパーリンクが記述されている。
【００４９】
受信した店舗情報及び付加情報は、携帯電話機２の赤外線送受信部２９を介して携帯電話機３へ送信することができ、携帯電話機３の表示部にも図６に示す画面が表示され、詳細ボタン２４１をクリックすることにより、同様に店舗Ａの店舗詳細情報を受信することができる。携帯電話機２のＣＰＵ２１は、詳細ボタン２４１が入力部２３を通じてクリックされたと判断した場合、付加情報及び識別情報記憶部２５１に記憶した識別情報をサーバコンピュータ１へ送信する。サーバコンピュータ１のＣＰＵ１１は自らが生成した付加情報及び識別情報を受信する。
【００５０】
ＣＰＵ１１は、受信した付加情報をハイパーリンク内から抽出する。上述の例では、付加情報「ABC-DEF-002」（識別情報）及び「2006/07/20/10/25/30」（取得要求日時）を抽出する。ＣＰＵ１１は抽出した付加情報の識別情報及び取得要求日時をもとに、付加情報記憶部１５１を検索し、これらに対応する店舗情報を抽出する。そしてＣＰＵ１１は、抽出した店舗情報に対応する店舗詳細情報を店舗ファイル１５２から読み出し、携帯電話機２へ送信する。上述の例では、付加情報「ABC-DEF-002」（識別情報）及び「2006/07/20/10/25/30」（取得要求日時）に対応する店舗情報は店舗Ａの店舗情報であるので、店舗Ａの店舗詳細情報が抽出され携帯電話機２へ送信される。
【００５１】
図７は店舗詳細情報のイメージを示す説明図である。携帯電話機２の表示部２４にはＨＴＭＬ形式の店舗詳細情報が表示される。図に示すように、店舗名、営業時間、店舗案内、及びクーポン券の画像等が表示される。これらの情報は携帯電話機３の表示部にも同様に表示され、携帯電話機２及び携帯電話機３のユーザは共に、詳細な情報の他、クーポン券等を得ることができる。
【００５２】
サーバコンピュータ１のＣＰＵ１１は、この処理に伴い、受信した識別情報と生成した付加情報の識別情報とが一致するか否かの判断を行う。ＣＰＵ１１は受信した識別情報をＲＡＭ１２に記憶する。またＣＰＵ１１が受信した付加情報から抽出した識別情報をもＲＡＭ１２に記憶する。そしてＣＰＵ１１は、それぞれ記憶した識別情報が一致するか否かを判断する。本例では携帯電話機２から送信された識別情報は「ABC-DEF-002」、受信した付加情報から抽出した識別情報も「ABC-DEF-002」であるので、両者は一致する。これにより、付加情報の送信は携帯電話機２から送信されてきたと判断できる。
【００５３】
一方、赤外線送受信部３９を介して店舗情報及び付加情報を受信した携帯電話機３から、付加情報及び携帯電話機３の識別情報「ABC-DEF-003」が送信された場合、同様にサーバコンピュータ１はこれを受信する。この場合、受信した携帯電話機３の識別情報「ABC-DEF-003」と付加情報内の識別情報「ABC-DEF-002」とが一致しないので、サーバコンピュータ１のＣＰＵ１１は、携帯電話機２から携帯電話機３へ店舗情報が赤外線通信により送信されたことが認識できる。なお、本実施の形態においては携帯電話機２または携帯電話機３から送信された識別情報と、同時に送信される付加情報から抽出した識別情報とを比較する形態としたが、上述した通し番号を用いて比較しても良い。通し番号を用いる場合、付加情報に通し番号を含めておく。そして携帯電話機２から識別情報及び付加情報が送信された場合、付加情報内の通し番号をもとに付加情報記憶部１５１の対応する識別情報を読み出し、この識別情報と、携帯電話機２から送信された識別情報とを比較するようにすればよい。
【００５４】
図８は得点ファイル１５３のレコードレイアウトを示す説明図である。記憶部１５内の得点ファイル１５３は識別情報フィールド及び得点フィールドを含んで構成される。識別情報フィールドには付加情報記憶部１５１内の識別情報と同じ識別情報が記憶されている。得点フィールドには識別情報に対応付けて得点が記憶されている。サーバコンピュータ１のＣＰＵ１１は、付加情報及び識別情報を受信し、付加情報に関連づけられる識別情報と受信した識別情報とが一致しない場合、付加情報に関連づけられる識別情報に対応付けて得点を加算する処理を行う。
【００５５】
上述の例では、携帯電話機２から赤外線通信により店舗情報及び付加情報を受信した携帯電話機３が、携帯電話機３の識別情報「ABC-DEF-003」及び付加情報「http://www・・・/ABC-DEF-002/2006/07/20/10/25/30」をサーバコンピュータ１へ送信する。サーバコンピュータ１のＣＰＵ１１は、抽出した付加情報に関連づけられる識別情報「ABC-DEF-002」と、受信した携帯電話機３の識別情報「ABC-DEF-003」とが一致しないので、携帯電話機２のユーザに得点を付加すべく、識別情報「ABC-DEF-002」の得点をインクリメントする。ＣＰＵ１１は、インクリメントした得点を得点フィールドに、識別情報「ABC-DEF-002」に対応付けて記憶する。これにより、携帯電話機２のユーザは、店舗情報を紹介することによる利益を享受することが可能となる。なお、ＣＰＵ１１は、抽出した付加情報に関連づけられる識別情報「ABC-DEF-002」と、受信した携帯電話機３の識別情報「ABC-DEF-003」とが一致しない場合、送信情報として、携帯電話機３の識別情報「ABC-DEF-003」を携帯電話機２の識別情報「ABC-DEF-002」に対応付けて記憶部１５に記憶する。これにより、新たにアクセスのあったユーザの情報を入手することも可能となる。
【００５６】
図９はギフトファイル１５４のレコードレイアウトを示す説明図である。記憶部１５内のギフトファイル１５４は得点フィールド及びギフト内容フィールドを含んで構成される。得点フィールドには上述した得点が段階的に記憶されている。ギフト内容フィールドには得点に対応付けて携帯電話機２へ送信する第３情報としてのギフトの内容が記憶されている。例えば得点が「３」の場合、第３情報として待ち受け画像等の「画像ファイルＡ」が携帯電話機２へ送信される。また得点が「５」の場合、「着信メロディＡ」が携帯電話機２へ送信される。サーバコンピュータ１のＣＰＵ１１は、得点ファイル１５３及びギフトファイル１５４を監視しており、得点ファイル１５３における得点が、所定得点以上となった場合に、ギフトファイル１５４に記憶した得点に対応する第３情報を、得点ファイル１５３の対応する識別情報に係る携帯電話機２へ送信する。上述の例では、携帯電話機２の得点は「５」であるので、「画像ファイルＡ」に加えて「着信メロディＡ」が新たに携帯電話機２へ送信される。なお、この第３情報の送信は、記憶部１５に予め記憶した携帯電話機２の電子メールアドレス宛へ、電子メールにより送信する他、後に、携帯電話機２とサーバコンピュータ１との間の通信が確立した後に別途送信するようにしても良い。
【００５７】
以上のハードウェア構成において、サーバコンピュータ１における識別情報の判断処理の手順を、フローチャートを用いて説明する。図１０及び図１１は識別情報の判断処理の手順を示すフローチャートである。携帯電話機２とサーバコンピュータ１との間の通信が確立した後、携帯電話機２のＣＰＵ２１は、受信を希望する店舗に係る店舗情報の取得要求及び、識別情報記憶部２５１に記憶した識別情報を、ｈｔｔｐプロトコル等によりサーバコンピュータ１へ送信する（ステップＳ１０１）。サーバコンピュータ１のＣＰＵ１１は送信された店舗情報の取得要求及び識別情報を受信する（ステップＳ１０２）。ＣＰＵ１１は、受信した取得要求に基づき対応する店舗情報を店舗ファイル１５２から読み出す（ステップＳ１０３）。例えば店舗Ａの店舗情報の取得要求があった場合は、店舗ファイル１５２から店舗Ａの店舗情報が読み出される。
【００５８】
ＣＰＵ１１は取得要求のあった日時を時計部１８から出力される日時の情報に基づき取得する（ステップＳ１０４）。ＣＰＵ１１は受信した識別情報及び取得要求日時に基づき付加情報を生成する（ステップＳ１０５）。具体的には、サーバコンピュータ１のアドレス、識別情報及び取得要求日時を含む固有のＵＲＬを生成する。ＣＰＵ１１は付加情報記憶部１５１に付加情報の一部である識別情報及び取得要求日時を対応付けて記憶し、また、取得要求の種類（取得要求のあった店舗の情報）を記憶する（ステップＳ１０６）。上述の例では、付加情報の一部である識別情報及び取得要求日時に対応付けて取得要求のあった店舗Ａの情報を記憶する。ＣＰＵ１１はステップＳ１０３で読み出した店舗情報及びステップＳ１０５で生成した付加情報を携帯電話機２へ送信する（ステップＳ１０７）。
【００５９】
携帯電話機２のＣＰＵ２１は、送信された店舗情報及び付加情報を受信する（ステップＳ１０８）。携帯電話機２のＣＰＵ２１は、店舗情報及び付加情報を表示部２４に図６の如く表示する（ステップＳ１０９）。携帯電話機２のユーザが、他のユーザの携帯電話機３へ赤外線通信により店舗情報を送信する場合、以下の処理を行う。携帯電話機２のＣＰＵ２１は受信した店舗情報及び付加情報を、赤外線送受信部２９を介して、他の携帯電話機３の赤外線送受信部３９へ向けて送信する（ステップＳ１０１０）。以下では、携帯電話機２または携帯電話機３のいずれかによる処理が実行されるが、場合により携帯電話機２の処理を代表して説明する。
【００６０】
携帯電話機２の表示部２４に表示された詳細ボタン２４１が、入力部２３を介して操作された場合、携帯電話機２のＣＰＵ２１は、付加情報及び、識別情報記憶部２５１に記憶した識別情報をサーバコンピュータ１へ送信する（ステップＳ１０１１）。具体的には詳細ボタン２４１内のハイパーリンク「http://www・・・/ABC-DEF-002/2006/07/20/10/25/30」及び識別情報「ABC-DEF-002」（または「ABC-DEF-003」）を送信する。サーバコンピュータ１のＣＰＵ１１は送信された付加情報及び識別情報を受信する。
【００６１】
ＣＰＵ１１は付加情報から識別情報及び取得要求日時を抽出する（ステップＳ１０１２）。ＣＰＵ１１は抽出した識別情報と、受信した識別情報とが一致するか否かを判断する（ステップＳ１０１３）。ＣＰＵ１１は抽出した識別情報と、受信した識別情報とが一致しないと判断した場合（ステップＳ１０１３でＮＯ）、抽出した識別情報に対応させて得点ファイル１５３内の得点をインクリメントする（ステップＳ１１１）。ＣＰＵ１１はインクリメントした得点に対応するギフトをギフトファイル１５４から読み出し（ステップＳ１１２）、読み出したギフトを携帯電話機２へ送信する（ステップＳ１１３）。なお、得点ファイル１５３には識別情報に対応付けて、携帯電話機２の電子メールアドレスが記憶されており、このギフトはこの記憶した電子メールアドレス宛へ送信される。携帯電話機２はギフトを受信する（ステップＳ１１４）。また、サーバコンピュータ１のＣＰＵ１１は、受信した識別情報を送信情報として、ステップＳ１０１２で抽出した識別情報に対応づけて記憶部１５に記憶する（ステップＳ１１５）。この場合、ＣＰＵ１１は、携帯電話機２の識別情報に対応付けて、携帯電話機３の識別情報を記憶部１５に記憶するようにすればよい。これにより、サーバコンピュータ１は、携帯電話機２から、携帯電話機３へ、店舗情報が赤外線通信により送信されたことを認識することができる。なお、ステップＳ１１３においては第３情報であるギフトを携帯電話機２へ送信するようにしているが、得点ファイル１５３に識別情報に対応付けて、携帯電話機３の電子メールアドレスを記憶しておき、このギフトを当該記憶した電子メールアドレス宛、すなわち携帯電話機３へ送信するようにしても良い。
【００６２】
一方、ステップＳ１０１３において、抽出した識別情報と、受信した識別情報とが一致すると判断した場合（ステップＳ１０１３でＹＥＳ）、及びステップＳ１１５の処理後、サーバコンピュータ１のＣＰＵ１１は、ステップＳ１０１１により送信された付加情報に対応する取得要求のあった店舗の店舗詳細情報を店舗ファイル１５２から読み出す（ステップＳ１１６）。具体的には、ステップＳ１０１２で抽出した、付加情報内の識別情報及び取得要求日時をもとに、付加情報記憶部１５１を検索し、識別情報及び取得要求日時をアンド条件で満たす取得要求フィールド内の店舗の情報を抽出する。そしてＣＰＵ１１は抽出した店舗に対応する店舗詳細情報を店舗ファイル１５２から読み出す。
【００６３】
ＣＰＵ１１は、ステップＳ１０１１により送信された識別情報を宛先として店舗詳細情報を携帯電話機２または携帯電話機３へ送信する（ステップＳ１１７）。なお、携帯電話機３へ店舗詳細情報を送信する代わりに、記憶部１５に記憶した特定の情報、例えばエラーメッセージまたは所定の内容が記述されたＨＴＭＬ文書を読み出して送信するようにしても良い。以下では携帯電話機２へ送信したものとして説明する。携帯電話機２のＣＰＵ２１は店舗詳細情報を受信し（ステップＳ１１８）、受信した店舗詳細情報を表示部２４へ図７の如く表示する（ステップＳ１１９）。
【００６４】
実施の形態２
実施の形態１では、第１情報として店舗の情報、第２情報として店舗の詳細情報を提供する例について説明したが、実施の形態２に示す如く第１情報として名刺情報、第２情報として名刺作成サイトのページを提供する例であっても良い。
【００６５】
図１２及び図１３は識別情報の判断処理の手順を示すフローチャートである。携帯電話機２はサーバコンピュータ１の名刺作成サイトへアクセスし（ステップＳ１２１）、通信を確立する。なお、この際携帯電話機２からサーバコンピュータ１へ携帯電話機２の機種情報（機種を特定するための識別情報等）を送信するようにしても良い。そしてサーバコンピュータ１のＣＰＵ１１は、記憶部１５に予め記憶した機種情報に合致する携帯電話機２についてのみ以降の処理を行うようにしても良い。その後、サーバコンピュータ１のＣＰＵ１１は記憶部１５に記憶した名刺情報入力フォームを携帯電話機２へ送信する（ステップＳ１２２）。携帯電話機２のＣＰＵ２１は名刺情報入力フォームを受信する（ステップＳ１２３）。図１４は名刺情報入力フォームのイメージを示す説明図である。携帯電話機２のＣＰＵ２１は受信したＨＴＭＬ形式の名刺情報入力フォームを表示部２４へ出力する。図１４に示すように、表示部２４には、名刺情報の基礎となる会社名、役職、氏名、住所、電話番号、ＦＡＸ番号、及び電子メール等の情報の入力を促す画面が表示される。
【００６６】
ユーザが携帯電話機２の入力部２３を通じて名刺情報入力フォームへ必要事項を入力する（ステップＳ１２４）。ＣＰＵ２１は入力部２３から入力された名刺情報入力フォームに対する入力情報を受け付ける。ユーザは入力情報を名刺情報入力フォームへ入力した後、入力部２３から名刺情報の取得要求を行う決定ボタン２４２を操作する。ＣＰＵ２１は決定ボタン２４２が入力部２３を通じて操作されたと判断した場合、入力情報、名刺情報の取得要求及び識別情報記憶部２５１に記憶された識別情報をサーバコンピュータ１へ送信する（ステップＳ１２５）。なお、入力情報としてユーザの顔写真のデータを入力するようにしても良い。また本実施の形態においては、ステップＳ１２５において識別情報を送信しているが、ステップＳ１２１において予め識別情報を送信しておいても良い。そして名刺情報入力フォームへの情報の入力が中途である場合は、サーバコンピュータ１において識別情報と共に入力された情報を記憶部１５に記憶しておく。そして、再度ステップＳ１２１において識別情報がサーバコンピュータ１へ送信された場合、サーバコンピュータ１のＣＰＵ１１が記憶部１５に記憶した識別情報に対応する編集途中の名刺情報入力フォームを読み出して携帯電話機２へ送信しても良い。
【００６７】
サーバコンピュータ１のＣＰＵ１１は入力情報、名刺情報の取得要求及び識別情報を受信する（ステップＳ１２６）。ＣＰＵ１１は、受信した入力情報に基づき名刺情報を作成する（ステップＳ１２７）。ＣＰＵ１１はこの作成した名刺情報を記憶部１５に記憶する。またＣＰＵ１１は取得要求のあった日時を時計部１８から出力される日時の情報に基づき取得する（ステップＳ１２８）。ＣＰＵ１１は受信した識別情報及び取得要求日時に基づき付加情報を生成する（ステップＳ１２９）。具体的には、サーバコンピュータ１のアドレス、識別情報及び取得要求日時を含む固有のＵＲＬを生成する。ＣＰＵ１１は付加情報記憶部１５１に付加情報の一部である識別情報及び取得要求日時を対応付けて記憶し（ステップＳ１２１０）、また、ステップＳ１２７で作成した名刺情報をこれらに対応付けて記憶する。ＣＰＵ１１はステップＳ１２７で作成した名刺情報を記憶部１５から読み出し、読み出した名刺情報及びステップＳ１２９で生成した付加情報を携帯電話機２へ送信する（ステップＳ１２１１）。
【００６８】
携帯電話機２のＣＰＵ２１は、送信された名刺情報及び付加情報を受信する（ステップＳ１２１２）。携帯電話機２のＣＰＵ２１は、名刺情報及び付加情報を表示部２４に表示する（ステップＳ１２１３）。図１５は名刺情報の表示イメージを示す説明図である。図に示すように、表示部２４には、名刺情報が携帯電話機２のブラウザ上に表示されている。また、名刺情報の下側には、第２情報としての付加情報である詳細ボタン２４１が表示されている。この詳細ボタン２４１には、付加情報として、名刺作成サイトへアクセスするためのアドレス、識別情報及び取得要求日時を含むＵＲＬがハイパーリンクとして記述されている。
【００６９】
携帯電話機２のユーザが、他のユーザの携帯電話機３へ赤外線通信により挨拶のため、名刺情報を送信する場合、以下の処理を行う。携帯電話機２のＣＰＵ２１は受信した名刺情報及び付加情報を、赤外線送受信部２９を介して、他の携帯電話機３の赤外線送受信部３９へ向けて送信する（ステップＳ１２１４）。
【００７０】
携帯電話機２の表示部２４に表示された詳細ボタン２４１が、入力部２３を介して操作された場合、携帯電話機２のＣＰＵ２１は、付加情報及び、識別情報記憶部２５１に記憶した識別情報をサーバコンピュータ１へ送信する（ステップＳ１３１）。サーバコンピュータ１のＣＰＵ１１は送信された付加情報及び識別情報を受信する。
【００７１】
ＣＰＵ１１は付加情報から識別情報及び取得要求日時を抽出する（ステップＳ１３２）。ＣＰＵ１１は抽出した識別情報と、受信した識別情報とが一致するか否かを判断する（ステップＳ１３３）。ＣＰＵ１１は抽出した識別情報と、受信した識別情報とが一致しないと判断した場合（ステップＳ１３３でＮＯ）、抽出した識別情報に対応させて得点ファイル１５３内の得点をインクリメントする（ステップＳ１３４）。ＣＰＵ１１はインクリメントした得点に対応するギフトをギフトファイル１５４から読み出し（ステップＳ１３５）、読み出したギフトを、携帯電話機２へ送信する（ステップＳ１３６）。携帯電話機２はギフトを受信する（ステップＳ１３７）。サーバコンピュータ１のＣＰＵ１１は、受信した識別情報を送信情報として、ステップＳ１３２で抽出した識別情報に対応付けて記憶部１５に記憶する（ステップＳ１３８）。この場合、ＣＰＵ１１は、携帯電話機２の識別情報に対応付けて、携帯電話機３の識別情報を記憶部１５に記憶する。これにより、サーバコンピュータ１は、携帯電話機２から、携帯電話機３へ、名刺情報が赤外線通信により送信されたことを認識することができる。
【００７２】
一方、ステップＳ１３３において、抽出した識別情報と、受信した識別情報とが一致すると判断した場合（ステップＳ１３３でＹＥＳ）、または、ステップＳ１３８の処理後、サーバコンピュータ１のＣＰＵ１１は、記憶部１５に記憶した名刺作成サイトのページを読み出す（ステップＳ１３９）。そしてＣＰＵ１１は読み出した名刺作成サイトのページを第２情報として、ステップＳ１３１により送信された識別情報を宛先に携帯電話機２または携帯電話機３へ送信する（ステップＳ１３１０）。以下では携帯電話機３へ送信したものとして説明する。携帯電話機３は名刺作成サイトのページを受信し（ステップＳ１３１１）、受信した名刺作成サイトのページを表示部へ表示する（ステップＳ１３１２）。なお、携帯電話機３へ名刺作成サイトのページを送信する代わりに、記憶部１５に記憶した特定の情報、例えばエラーメッセージまたは所定の内容が記述されたＨＴＭＬ文書を読み出して送信するようにしても良い。
【００７３】
本実施の形態２は以上の如き構成としてあり、その他の構成及び作用は実施の形態１と同様であるので、対応する部分には同一の参照番号を付してその詳細な説明を省略する。
【００７４】
実施の形態３
実施の形態１では、第１情報として店舗の情報、第２情報として店舗の詳細情報を提供する例について説明したが、実施の形態３に示す如く第１情報としてグリーティングカード、第２情報としてグリーティングカードを作成するためのポータルサイトのデータを提供する例であっても良い。
【００７５】
図１６は実施の形態３に係るサーバコンピュータ１のハードウェア構成を示すブロック図である。実施の形態３に係るサーバコンピュータ１の記憶部１５にはユーザファイル１５５及びサイトデータファイル１５６がさらに記憶されている。サイトデータファイル１５６には、グリーティングカードを作成するためのウェブサイトデータがＨＴＭＬ形式で記述されており、第２情報であるポータルサイトのデータも記憶されている。
【００７６】
図１７はユーザファイル１５５のレコードレイアウトを示す説明図である。ユーザファイル１５５は、識別情報フィールド、電子メールアドレスフィールド、得点フィールド、ギフト画像データフィールド及びギフト音楽データフィールドを含んで構成される。識別情報フィールドには識別情報が記憶されている。本例では携帯電話機２の識別情報「ABC-DEF-002」が記憶されている。電子メールアドレスフィールドにはユーザの電子メールアドレスが識別情報に対応付けて記憶されている。本例では、携帯電話機２のユーザの電子メールアドレスが記憶されている。得点フィールドには識別情報に対応付けて得点が記憶されている。この得点は、上述した如く携帯電話機２から携帯電話機３へ赤外線通信により第１情報が送信され、携帯電話機３による付加情報のサーバコンピュータ１への送信により、携帯電話機２に得点が加算されるものである。ＣＰＵ１１はこの加算された得点を得点フィールドに、識別情報に対応付けて記憶する。
【００７７】
ギフト画像データフィールドには、第３情報である画像データが識別情報に対応付けて記憶されている。同様に、ギフト音楽データフィールドには、第３情報である音楽データが識別情報に対応付けて記憶されている。ＣＰＵ１１は、得点フィールドに記憶された得点をもとに、ギフトファイル１５４を検索し、記憶された得点以下のギフトを抽出し、ユーザファイル１５５に記憶する。本例では得点が１５点であるので、画像データＡ及び画像データＢ、並びに、音楽データＡが、識別情報「ABC-DEF-002」に対応付けて記憶されている。
【００７８】
グリーティングカードを作成する場合、携帯電話機２からサーバコンピュータ１へアクセスする。サーバコンピュータ１のＣＰＵ１１は、サイトデータファイル１５６から第２情報であるポータルサイトのデータを読み出し、携帯電話機２へ送信する。ユーザは入力部２３を通じて、ＩＤ及びパスワード等を入力し、サーバコンピュータ１へ送信する。なお、このＩＤ及びパスワードの登録は、ポータルサイトの会員登録メニューにより実行することができる。サーバコンピュータ１のＣＰＵ１１は、サイトデータファイル１５６から、グリーティングカード作成画面を読み出し、また、携帯電話機２の識別情報を参照して、対応するギフト画像データ及びギフト音楽データの情報を携帯電話機２へ送信する。
【００７９】
図１８はグリーティングカード作成画面のイメージを示す説明図である。携帯電話機２のＣＰＵ２１は、送信されたグリーティングカード作成画面、ギフト画像データ及びギフト音楽データの情報に基づき、表示部２４に、グリーティングカード作成画面を表示する。グリーティングカード作成画面には、送る相手を入力する欄、画像の選択ボックス２４３、音楽の選択ボックス２４４及びコメントの入力欄が含まれる。ユーザは入力部２３を通じて、文字の入力並びに、画像及び音楽の選択を行う。
【００８０】
画像の選択ボックス２４３には、テンプレート画像１、テンプレート画像２、画像データＡ及び画像データＢが表示されている。テンプレート画像１及びテンプレート画像２は、サイトデータファイル１５６に予め記憶されている画像データであり、グリーティングカード作成画面の情報と共に送信される。これらテンプレート画像１及びテンプレート画像２の情報は、得点にかかわらず送信される。画像データＡ及び画像データＢに関しては、ユーザファイル１５５に記憶された得点に応じたギフト画像データである。上述の例では、識別番号「ABC-DEF-002」のユーザは、得点が１５点あり、その結果グリーティングカードに、ギフトである画像データＡ及び画像データＢを貼り付けることができる。
【００８１】
同様に、音楽の選択ボックス２４４にも、テンプレート音楽１、テンプレート音楽２及び音楽データＡが表示される。テンプレート音楽１及びテンプレート音楽２は予めサイトデータファイル１５６に記憶されており、得点がないユーザの携帯電話機にも送信される。音楽データＡは、ユーザファイル１５５に記憶された得点に応じたギフト音楽データである。上述の例では、識別番号「ABC-DEF-002」のユーザは、得点が１５点あり、その結果グリーティングカードに、ギフトである音楽データＡを添付することができる。コメント欄には入力部２３を通じて必要なコメントを入力することができる。
【００８２】
ＣＰＵ２１は、入力された送る相手の名前、選択された画像データの種類、選択された音楽データの種類及び入力されたコメントをサーバコンピュータ１へ送信する。サーバコンピュータ１のＣＰＵ１１は、予め用意されたグリーティングカードのテンプレートの適宜の箇所に、入力された送る相手の名前、選択された画像データの種類、選択された音楽データの種類及び入力されたコメントを貼り付ける処理を行う。そして貼り付け処理後のグリーティングカードに付加情報を付加する。この付加情報は、グリーティングカードを作成するためのポータルサイトのアドレス、携帯電話機２の識別番号及びグリーティングカードの取得要求日時を含むＵＲＬで構成される。ＣＰＵ１１は、グリーティングカード及び付加情報を携帯電話機２へ送信する。
【００８３】
図１９は表示部２４に表示されるグリーティングカードの例を示す説明図である。携帯電話機２のＣＰＵ２１は、送信されたグリーティングカードをブラウザ上に表示する。表示部２４には、送る相手の名前、選択された画像、コメント及び詳細ボタン２４１が表示される。また選択された音楽データは、ＣＰＵ２１の指示によりスピーカ２１０を通じて再生される。詳細ボタン２４１は「詳細  このカードを別の人に贈る？」と表示されており、付加情報が記述されたハイパーリンクにより構成されている。携帯電話機２の入力部２３の操作により、詳細ボタン２４１が操作された場合、付加情報及び識別情報が送信される。これを受けてＣＰＵ１１はサイトデータファイル１５６から、ポータルサイトのデータを読み出し、携帯電話機２へ送信する。また、このグリーティングカードを赤外線通信により受信した携帯電話機３により、詳細ボタン２４１を操作することによっても、サーバコンピュータ１から、ポータルサイトのデータを受信することができる。
【００８４】
図２０乃至図２２は識別情報の判断処理の手順を示すフローチャートである。携帯電話機２はサーバコンピュータ１のグリーティングカード作成サイトへアクセスし（ステップＳ２０１）、通信を確立する。サーバコンピュータ１のＣＰＵ１１は、サイトデータファイル１５６からポータルサイトのデータを読み出し（ステップＳ２０２）、ポータルサイトのデータを携帯電話機２へ送信する（ステップＳ２０３）。
【００８５】
ユーザは、グリーティングカードを作成する場合、ポータルサイトのメニュー画面に表示される「グリーティングカード作成」を入力部２３から選択する。携帯電話機２のＣＰＵ２１は、入力部２３からの操作を受けて、グリーティングカードの作成画面の取得要求及び識別情報記憶部２５１から読み出した識別情報をサーバコンピュータ１へ送信する（ステップＳ２０４）。サーバコンピュータ１のＣＰＵ１１は、グリーティングカードの作成画面の取得要求を受け、サイトデータファイル１５６からグリーティングカードの作成画面を読み出す（ステップＳ２０５）。
【００８６】
またＣＰＵ１１は受信した識別情報をもとに、ユーザファイル１５５を検索し、識別情報に対応するギフト画像データ及びギフト音楽データを抽出する（ステップＳ２０６）。ＣＰＵ１１は、テンプレート画像及びテンプレート音楽を含むグリーティングカード作成画面、並びに、ギフト画像データ及びギフト音楽データを携帯電話機２へ送信する（ステップＳ２０７）。携帯電話機２は送信されたグリーティングカードの作成画面、ギフト画像データ及びギフト音楽データを受信する（ステップＳ２０８）。
【００８７】
携帯電話機２のＣＰＵ２１は、表示部２４に受信したグリーティングカードの作成画面をテンプレート画像、テンプレート音楽、ギフト画像データ及びギフト音楽データと共に、図１８の如く表示する。ユーザは入力部２３から、グリーティングカードの作成画面へ送る相手の名前、コメント等を入力すると共に、グリーティングカードに貼り付ける画像、及び、同時に再生する音楽を選択する（ステップＳ２０９）。以下では入力された情報、並びに、選択された画像及び音楽を入力情報という。
【００８８】
ＣＰＵ２１は入力情報を入力部２３から受け付ける。必要事項の入力を全て受け付けた後、ＣＰＵ２１は入力情報、グリーティングカードの取得要求、及び、識別情報記憶部２５１から読み出した識別情報をサーバコンピュータ１へ送信する（ステップＳ２０１０）。
【００８９】
サーバコンピュータ１のＣＰＵ１１は入力情報、グリーティングカードの取得要求及び識別情報を受信する（ステップＳ２０１１）。ＣＰＵ１１は、受信した入力情報に基づきグリーティングカードを作成する（ステップＳ２０１２）。ＣＰＵ１１はこの作成したグリーティングカードを記憶部１５に記憶する。またＣＰＵ１１は取得要求のあった日時を時計部１８から出力される日時の情報に基づき取得する（ステップＳ２１１）。ＣＰＵ１１は、ポータルサイトのアドレスを記憶部１５から読み出す（ステップＳ２１２）。ＣＰＵ１１は受信した識別情報及び取得要求日時に基づき付加情報を生成する（ステップＳ２１３）。具体的には、ポータルサイトのアドレス、識別情報及び取得要求日時を含む固有のＵＲＬを生成する。ＣＰＵ１１は付加情報記憶部１５１に付加情報の一部である識別情報及び取得要求日時を対応付けて記憶する（ステップＳ２１４）。ＣＰＵ１１はステップＳ２０１２で作成したグリーティングカードを記憶部１５から読み出し、読み出したグリーティングカード及びステップＳ２１３で生成した付加情報を携帯電話機２へ送信する（ステップＳ２１５）。
【００９０】
携帯電話機２のＣＰＵ２１は、送信されたグリーティングカード及び付加情報を受信する（ステップＳ２１６）。携帯電話機２のＣＰＵ２１は、グリーティングカード及び付加情報を、図１９の如く表示部２４に表示する（ステップＳ２１７）。図に示すように、表示部２４の下部には、第２情報としての付加情報である詳細ボタン２４１が表示されている。この詳細ボタン２４１には、ポータルサイトへアクセスするためのアドレス、識別情報及び取得要求日時がハイパーリンクとして記述されている。
【００９１】
携帯電話機２のユーザが、他のユーザの携帯電話機３へ赤外線通信により挨拶のためグリーティングカードを送信する場合、以下の処理を行う。携帯電話機２のＣＰＵ２１は受信したグリーティングカード及び付加情報を、赤外線送受信部２９を介して、他の携帯電話機３の赤外線送受信部３９へ向けて送信する（ステップＳ２１８）。
【００９２】
携帯電話機２の表示部２４に表示された詳細ボタン２４１が、入力部２３を介して操作された場合、携帯電話機２のＣＰＵ２１は、付加情報及び、識別情報記憶部２５１に記憶した識別情報をサーバコンピュータ１へ送信する（ステップＳ２１９）。サーバコンピュータ１のＣＰＵ１１は送信された付加情報及び識別情報を受信する。なお、携帯電話機３にて、詳細ボタン２４１が操作された場合は、付加情報及び携帯電話機３の識別情報が送信される。
【００９３】
ＣＰＵ１１は付加情報から識別情報及び取得要求日時を抽出する（ステップＳ２１１０）。ＣＰＵ１１は抽出した識別情報と、受信した識別情報とが一致するか否かを判断する（ステップＳ２１１１）。すなわち、ステップＳ２１３で生成された結果に基づきステップＳ２１９で送信された付加情報に関連づけられる識別情報と、ステップＳ２１９により送信される携帯電話機２または携帯電話機３の識別情報とが一致するか否かを判断する。ＣＰＵ１１は抽出した識別情報と、受信した識別情報とが一致しないと判断した場合（ステップＳ２１１１でＮＯ）、抽出した識別情報に対応させて得点ファイル１５３内の得点をインクリメントする（ステップＳ２１１２）。なお、ＣＰＵ１１は、このインクリメントした得点を、ユーザファイル１５５の抽出した識別情報に対応する得点フィールドに記憶する。サーバコンピュータ１のＣＰＵ１１は、受信した識別情報を送信情報として、Ｓ２１１０で抽出した識別情報に対応付けて記憶部１５に記憶する（ステップＳ２１１３）。この場合、ＣＰＵ１１は、携帯電話機２の識別情報に対応付けて、携帯電話機３の識別情報を記憶部１５に記憶するようにすればよい。これにより、サーバコンピュータ１は、携帯電話機２から、携帯電話機３へ、グリーティングカードが赤外線通信により送信されたことを認識することができる。
【００９４】
一方、ステップＳ２１１１において、抽出した識別情報と、受信した識別情報とが一致すると判断した場合（ステップＳ２１１１でＹＥＳ）、または、ステップＳ２１１３の処理後、サーバコンピュータ１のＣＰＵ１１は、記憶部１５に記憶したポータルサイトのデータをサイトデータファイル１５６から読み出し、（ステップＳ２１１４）、読み出したポータルサイトのデータを第２情報として、ステップＳ２１１０で受信した識別情報を宛先に携帯電話機２または携帯電話機３へ送信する（ステップＳ２１１５）。以下では携帯電話機３へ送信したものとして説明する。携帯電話機３はポータルサイトのデータを受信し（ステップＳ２１１６）、受信したポータルサイトのデータを表示部へ表示する（ステップＳ２１１７）。なお、携帯電話機３へポータルサイトのデータを送信する代わりに、記憶部１５に記憶した特定の情報、例えばエラーメッセージまたは所定の内容が記述されたＨＴＭＬ文書を読み出して送信するようにしても良い。
【００９５】
本実施の形態３は以上の如き構成としてあり、その他の構成及び作用は実施の形態１及び２と同様であるので、対応する部分には同一の参照番号を付してその詳細な説明を省略する。
【００９６】
実施の形態４
図２３は実施の形態４に係るサーバコンピュータ１の構成を示すブロック図である。実施の形態４に係るサーバコンピュータ１を動作させるためのプログラムは、本実施の形態４のように、ＣＤ−ＲＯＭ等の可搬型記録媒体１Ａで提供することも可能である。さらに、コンピュータプログラムを、通信網Ｎを介して図示しないサーバコンピュータからダウンロードすることも可能である。以下に、その内容を説明する。
【００９７】
図２２に示すサーバコンピュータ１の図示しない記録媒体読み取り装置に、付加情報を生成させ、第１情報を読み出させ、一致するかを判断させ、送信情報を記憶させるプログラムが記録された可搬型記録媒体１Ａを、挿入して記憶部１５の制御プログラム１５Ｐ内にこのプログラムをインストールする。または、かかるプログラムを、通信部１６を介して外部の図示しないサーバコンピュータからダウンロードし、記憶部１５にインストールするようにしても良い。かかるプログラムはＲＡＭ１２にロードして実行される。これにより、上述のような本発明のサーバコンピュータ１として機能する。
【００９８】
本実施の形態４は以上の如き構成としてあり、その他の構成及び作用は実施の形態１乃至３と同様であるので、対応する部分には同一の参照番号を付してその詳細な説明を省略する。
【００９９】
実施の形態５
実施の形態１乃至４においては識別情報及び取得要求日時を含む付加情報を用いた形態につき説明したが、これに限るものではなく取得要求日時を含まない付加情報を用いてもよい。
【０１００】
以下に、第１情報として名刺情報、第２情報として名刺作成サイトのページを提供する例を用いて説明する。図２４及び図２５は識別情報の判断処理の手順を示すフローチャートである。携帯電話機２はサーバコンピュータ１の名刺作成サイトへアクセスし（ステップＳ２４１）、通信を確立する。その後、サーバコンピュータ１のＣＰＵ１１は記憶部１５に記憶した名刺情報入力フォームを携帯電話機２へ送信する（ステップＳ２４２）。携帯電話機２のＣＰＵ２１は名刺情報入力フォームを受信する（ステップＳ２４３）。
【０１０１】
ユーザが携帯電話機２の入力部２３を通じて名刺情報入力フォームへ必要事項を入力する（ステップＳ２４４）。ＣＰＵ２１は入力部２３から入力された名刺情報入力フォームに対する入力情報を受け付ける。ユーザは入力情報を名刺情報入力フォームへ入力した後、入力部２３から名刺情報の取得要求を行う決定ボタン２４２を操作する。ＣＰＵ２１は決定ボタン２４２が入力部２３を通じて操作されたと判断した場合、入力情報、名刺情報の取得要求及び識別情報記憶部２５１に記憶された識別情報をサーバコンピュータ１へ送信する（ステップＳ２４５）。
【０１０２】
サーバコンピュータ１のＣＰＵ１１は入力情報、名刺情報の取得要求及び識別情報を受信する（ステップＳ２４６）。ＣＰＵ１１は、受信した入力情報に基づき名刺情報を作成する（ステップＳ２４７）。ＣＰＵ１１はこの作成した名刺情報を記憶部１５に記憶する。ＣＰＵ１１は受信した識別情報を含む付加情報を生成する（ステップＳ２４８）。具体的には、「http://www・・・/ABC-DEF-002」の如く、サーバコンピュータ１のアドレス、及び識別情報を含む固有のＵＲＬを生成する。なお、本実施の形態においては説明のため識別情報「ABC-DEF-002」そのものを付加情報内に記述しているが、識別情報自体ではなくこれと等価な情報を付加情報内に含めるようにしても良い。例えば識別情報を一意に特定することができる番号をサーバコンピュータ１の記憶部１５に記憶しておき、この番号を付加情報内に含めるようにしても良い。ＣＰＵ１１は付加情報記憶部１５１に識別情報を含む付加情報を記憶し（ステップＳ２４９）、また、ステップＳ２４７で作成した名刺情報をこれらに対応付けて記憶する。ＣＰＵ１１はステップＳ２４７で作成した名刺情報を記憶部１５から読み出し、読み出した名刺情報及びステップＳ２４８で生成した付加情報を携帯電話機２へ送信する（ステップＳ２４１０）。
【０１０３】
携帯電話機２のＣＰＵ２１は、送信された名刺情報及び付加情報を受信する（ステップＳ２４１１）。携帯電話機２のＣＰＵ２１は、名刺情報及び付加情報を表示部２４に表示する（ステップＳ２４１２）。
【０１０４】
携帯電話機２のユーザが、他のユーザの携帯電話機３へ赤外線通信により挨拶のため、名刺情報を送信する場合、以下の処理を行う。携帯電話機２のＣＰＵ２１は受信した名刺情報及び付加情報を、赤外線送受信部２９を介して、他の携帯電話機３の赤外線送受信部３９へ向けて送信する（ステップＳ２４１３）。
【０１０５】
携帯電話機２の表示部２４に表示された詳細ボタン２４１が、入力部２３を介して操作された場合、携帯電話機２のＣＰＵ２１は、付加情報及び、識別情報記憶部２５１に記憶した識別情報をサーバコンピュータ１へ送信する（ステップＳ２５１）。サーバコンピュータ１のＣＰＵ１１は送信された付加情報及び識別情報を受信する。
【０１０６】
ＣＰＵ１１は付加情報から識別情報を抽出する（ステップＳ２５２）。ＣＰＵ１１は抽出した識別情報と、受信した識別情報とが一致するか否かを判断する（ステップＳ２５３）。ＣＰＵ１１は抽出した識別情報と、受信した識別情報とが一致しないと判断した場合（ステップＳ２５３でＮＯ）、抽出した識別情報に対応させて得点ファイル１５３内の得点をインクリメントする（ステップＳ２５４）。ＣＰＵ１１はインクリメントした得点に対応するギフトをギフトファイル１５４から読み出し（ステップＳ２５５）、読み出したギフトを、携帯電話機２へ送信する（ステップＳ２５６）。携帯電話機２はギフトを受信する（ステップＳ２５７）。なお、第３情報であるギフトの送信はステップＳ２５７で送信するのではなく、ステップＳ２５２で抽出した携帯電話機２の識別情報及びギフトを対応付けて記憶しておき後に送信しても良い。ギフトの送信は、ステップＳ２４１またはＳ２４５の後、すなわち携帯電話機２がサーバコンピュータ１へ携帯電話機２の識別情報を送信した後に、サーバコンピュータ１のＣＰＵ１１が識別情報に対応するギフトを読み出して携帯電話機２へ送信するようにしても良い。サーバコンピュータ１のＣＰＵ１１は、受信した識別情報を送信情報として、ステップＳ２５２で抽出した識別情報に対応付けて記憶部１５に記憶する（ステップＳ２５８）。この場合、ＣＰＵ１１は、携帯電話機２の識別情報に対応付けて、携帯電話機３の識別情報を記憶部１５に記憶する。これにより、サーバコンピュータ１は、携帯電話機２から、携帯電話機３へ、名刺情報が赤外線通信により送信されたことを認識することができる。
【０１０７】
一方、ステップＳ２５３において、抽出した識別情報と、受信した識別情報とが一致すると判断した場合（ステップＳ２５３でＹＥＳ）、または、ステップＳ２５８の処理後、サーバコンピュータ１のＣＰＵ１１は、記憶部１５に記憶した名刺作成サイトのページを読み出す（ステップＳ２５９）。そしてＣＰＵ１１は読み出した名刺作成サイトのページを第２情報として、ステップＳ２５１により送信された識別情報を宛先に携帯電話機２または携帯電話機３へ送信する（ステップＳ２５１０）。以下では携帯電話機３へ送信したものとして説明する。携帯電話機３は名刺作成サイトのページを受信し（ステップＳ２５１１）、受信した名刺作成サイトのページを表示部へ表示する（ステップＳ２５１２）。
【０１０８】
本実施の形態５は以上の如き構成としてあり、その他の構成及び作用は実施の形態１乃至４と同様であるので、対応する部分には同一の参照番号を付してその詳細な説明を省略する。
【図面の簡単な説明】
【０１０９】
【図１】本発明に係る管理システムの概要を示す模式図である。
【図２】サーバコンピュータのハードウェア構成を示すブロック図である。
【図３】携帯電話機のハードウェア構成を示すブロック図である。
【図４】店舗ファイルのレコードレイアウトを示す説明図である。
【図５】付加情報記憶部のレコードレイアウトを示す説明図である。
【図６】店舗情報及び付加情報の表示例を示す説明図である。
【図７】店舗詳細情報のイメージを示す説明図である。
【図８】得点ファイルのレコードレイアウトを示す説明図である。
【図９】ギフトファイルのレコードレイアウトを示す説明図である。
【図１０】識別情報の判断処理の手順を示すフローチャートである。
【図１１】識別情報の判断処理の手順を示すフローチャートである。
【図１２】識別情報の判断処理の手順を示すフローチャートである。
【図１３】識別情報の判断処理の手順を示すフローチャートである。
【図１４】名刺情報入力フォームのイメージを示す説明図である。
【図１５】名刺情報の表示イメージを示す説明図である。
【図１６】実施の形態３に係るサーバコンピュータのハードウェア構成を示すブロック図である。
【図１７】ユーザファイルのレコードレイアウトを示す説明図である。
【図１８】グリーティングカード作成画面のイメージを示す説明図である。
【図１９】表示部に表示されるグリーティングカードの例を示す説明図である。
【図２０】識別情報の判断処理の手順を示すフローチャートである。
【図２１】識別情報の判断処理の手順を示すフローチャートである。
【図２２】識別情報の判断処理の手順を示すフローチャートである。
【図２３】実施の形態４に係るサーバコンピュータの構成を示すブロック図である。
【図２４】識別情報の判断処理の手順を示すフローチャートである。
【図２５】識別情報の判断処理の手順を示すフローチャートである。
【符号の説明】
【０１１０】
１      サーバコンピュータ（管理装置）
１Ａ    可搬型記録媒体
２、３  携帯電話機（携帯端末機）
１１    ＣＰＵ（制御部）
１３    入力部
１４    表示部
１５    記憶部
１５Ｐ  制御プログラム
１６    通信部
１８    時計部
１５１  付加情報記憶部
１５２  店舗ファイル
１５３  得点ファイル
１５４  ギフトファイル
１５５  ユーザファイル
１５６  サイトデータファイル
２１    ＣＰＵ（制御部）
２３    入力部
２４    表示部
２５    記憶部
２５１  識別情報記憶部
２６    通信部
２９    赤外線送受信部
３９    赤外線送受信部
２８    マイク
２１０  スピーカ
２４１  詳細ボタン
２４２  決定ボタン
Ｎ      通信網
Ｓ      管理システム
【図１】
2008059217.tif 000003
【図２】
2008059217.tif 000004
【図３】
2008059217.tif 000005
【図４】
2008059217.tif 000006
【図５】
2008059217.tif 000007
【図６】
2008059217.tif 000008
【図７】
2008059217.tif 000009
【図８】
2008059217.tif 000010
【図９】
2008059217.tif 000011
【図１０】
2008059217.tif 000012
【図１１】
2008059217.tif 000013
【図１２】
2008059217.tif 000014
【図１３】
2008059217.tif 000015
【図１４】
2008059217.tif 000016
【図１５】
2008059217.tif 000017
【図１６】
2008059217.tif 000018
【図１７】
2008059217.tif 000019
【図１８】
2008059217.tif 000020
【図１９】
2008059217.tif 000021
【図２０】
2008059217.tif 000022
【図２１】
2008059217.tif 000023
【図２２】
2008059217.tif 000024
【図２３】
2008059217.tif 000025
【図２４】
2008059217.tif 000026
【図２５】
2008059217.tif 000027